(57)【要約】【課題】直接冷却と間接冷却の組合せにより冷蔵室の庫内全体をバランスよく冷却が行なえるようにする。【解決手段】開閉扉１３の内側にドアポケット１５が設けられた冷蔵室３と、冷蔵室用の冷却器１７とを備えた冷蔵庫において、前記冷却器１７を内側と外側の両面が冷却面となる面状冷却板１９によって前記冷蔵室３の庫内壁面を兼ねた冷気循環通路２１を形成し、面状冷却板１９による輻射熱で庫内の直接冷却を行なう。一方、前記冷気循環通路２１に、冷気循環用のファン２５と最上位の前記ドアポケット１５へ冷気を吹き出す吹出口２９と庫内を通過した冷気が前記冷気循環通路２１へ戻る冷気戻り口３１とを設け、吹出口２９から吹き出す冷気により最上位のドアポケット１５領域の間接冷却を行なう組合せ冷却とする。【選択図】図１
2008039296.tif 000002
【特許請求の範囲】
【請求項１】
開閉扉の内側にドアポケットが設けられた冷蔵室と、その冷蔵室を冷却する冷蔵室用の冷却器とを備え、
前記冷却器は内側と外側の両面が冷却面となる面状冷却板に形成され、その面状冷却板によって前記冷蔵室の庫内壁面を兼ねた冷気循環通路を形成し、前記冷気循環通路に、冷気循環用のファンと最上位の前記ドアポケットへ冷気を吹き出す吹出口と庫内を通過した冷気が前記冷気循環通路へ戻る冷気戻り口とを設けたことを特徴とする冷蔵庫。
【発明の詳細な説明】
【技術分野】
【０００１】
本発明は、冷蔵室専用の冷却器で冷蔵室を冷却する冷蔵庫に関する。
【背景技術】
【０００２】
一般に、冷蔵室、野菜室、冷凍室を備えた冷蔵庫において、各庫内の冷却はマイナスの温度帯となる冷凍室を冷却する冷却器の外に、冷蔵室を冷却する冷蔵室専用の冷却器を備えたものがある。その概要は、冷蔵室の後方に冷却通路が形成されると共に、その冷却通路に冷蔵室専用の冷却器と吹出口がそれぞれ設けられ、前記冷却器において熱交換された冷気を吹出口から庫内へ向けて吹き出す構造となっている。
【特許文献１】特開２００５−３４５０６５号公報
【発明の開示】
【発明が解決しようとする課題】
【０００３】
冷蔵室専用の冷却器において熱交換された冷気は、吹出口から冷蔵室の庫内へ向けて冷気を吹き出すようになるが、冷気の吹き出しは庫内後方から前方へ向けて吹き出される。このために、開閉扉に設けられた最上位のドアポケット領域は冷気が届きにくい庫内冷却の死角となり、庫内全体の均一な冷却が得られにくい面があることと、また、吹出口から冷気が直接吹き出される間接冷却となることで、庫内全体の乾燥化が早く進む問題をかかえる。
【０００４】
そこで、本発明にあっては、開閉扉領域を間接冷却，庫内領域を直接冷却の組合せ冷却とすることで冷蔵庫の庫内全体のバランスのとれた冷却が得られるようにした冷蔵庫を提供することを目的としている。
【課題を解決するための手段】
【０００５】
前記目的を達成するために、本発明にあっては、開閉扉の内側にドアポケットが設けられた冷蔵室と、その冷蔵室を冷却する冷蔵室用の冷却器とを備え、前記冷却器は内側と外側の両面が冷却面となる面状冷却板に形成され、その面状冷却板によって前記冷蔵室の庫内壁面を兼ねた冷気循環通路を形成し、前記冷気循環通路に、冷気循環用のファンと最上位の前記ドアポケットへ冷気を吹き出す吹出口と庫内を通過した冷気が前記冷気循環通路へ戻る冷気戻り口とを設けたことを特徴とする。
【発明の効果】
【０００６】
本発明によれば、開閉扉に設けられた最上位のドアポケットに対して吹出口から冷気を吹き出すことが可能となり、ドアポケットの死角領域をなくすことができる。
【０００７】
一方、冷蔵室の庫内は、冷蔵室の庫内壁面を兼ねた面状冷却板による輻射熱によって直接冷却を行なうことができる。この結果、組合せ冷却によって乾燥の影響が少ないバランスのとれた庫内冷却を行なうことができる。
【発明を実施するための最良の形態】
【０００８】
以下、図１乃至図３の図面を参照しながら本発明の実施形態について具体的に説明する。
【０００９】
図１は本発明にかかる冷蔵庫全体の概要切断側面図を示している。
【００１０】
冷蔵庫１は上方から冷蔵室３、冷凍室５、野菜室７の順に配置され、各仕切壁９、１１により独立した庫内に作られている。
【００１１】
冷蔵室３は開閉扉１３をヒンジ（図示していない）を支点として開けることで食品等の出し入れが可能となっている。開閉扉１３の内側には、上段、中段、下段にわたって冷気が直接あたる間接冷却でも、悪影響がでない缶物、ビン物、等の容器類が入れられるドアポケット１５が設けられている。
【００１２】
冷蔵室３の後部には冷蔵室用の第１の冷却器１７となる、面状冷却板１９によって前記冷蔵室３の庫内壁面を兼ねた冷気循環通路２１が形成されている。
【００１３】
面状冷却板１９は、図２に示すように面状に形成された板と板の間に冷媒が流れる冷媒管２３が配置され、内側１９ａ（庫内側）と外側１９ｂ（通路側）の両面が面状の冷却面となる形状となっている。
【００１４】
したがって、面状冷却板１９によって形成された冷気循環通路２１内を空気が通過することで、熱交換が行なわれ、通路２１内の空気は冷気となる一方、庫内側では面状冷却板１９による輻射熱によって直接冷却が行なわれるようになっている。
【００１５】
冷気循環通路２１は、走風用のファン２５を有すると共に冷蔵室３の天井領域ａと後壁領域ｂとにわたって連続する形状に作られている。この内、面状の冷却面となるのは面状冷却板１９によって形成された後壁領域ｂで、前記した直接冷却領域となっている。
【００１６】
冷気循環通路２１の天井領域ａはダクトパネル２７によって形成され、端部開口は、最上位のドアポケット１５へ向けて冷気を吹き出す吹出口２９となっている。吹出口２９から吹き出された冷気は図１矢印で示す如く中段、下段の各ドアポケット１５を通り、冷気戻り口３１から冷気循環通路２１へ再び戻る循環を繰返すようになっている。
【００１７】
一方、冷凍室５は、第１、第２冷凍室５ａ，５ｂからなり、収納容器５ｃの引き出しが可能な引き出しタイプとなっていて、庫内奥には冷凍用の第２の冷却器３３とファン３５がそれぞれ設けられている。第２の冷却器３３は、図３に示すように三方弁３７によって同時に冷媒が流れる絞り装置３９を介して前記した第１の冷却器１７と並列配置されると共に機械室４１に設けられた圧縮機４３及び凝縮器４５とにより前記圧縮機４３から吐出された冷媒が矢印の如く流れる冷凍サイクルが構成されるようになっている。したがって、第２の冷却器３３において熱交換された冷気はファン３５によって各吹出口４７から第１、第２冷凍室５ａ，５ｂへ吹き出された後、戻り口４９から再び第２の冷却器３３へ戻る循環を繰り返すようになっている。一方、野菜室７は、収納容器７ａの引き出しが可能な引き出しタイプとなっていて、第２冷凍室５ｂへ吹き出された冷気の一部が流れ込むことで庫内冷却が行なわれるようになっている。
【００１８】
このように構成された冷蔵庫１によれば、冷気循環通路２１を空気が通過する時に冷却器１７となる面状冷却板１９によって熱交換された冷気を吹出口２９から開閉扉１３に設けられた最上位のドアポケット１５へ向けて吹き出し、冷気による間接冷却によってドアポケット領域の冷却を行なう。
【００１９】
一方、冷蔵室３の庫内は面状冷却板１９からの輻射熱による直接冷却によって庫内が冷却される組合せ冷却により、庫内全体をバランスよく冷却することができるようになる。
【図面の簡単な説明】
【００２０】
【図１】本発明にかかる冷蔵庫の概要切断面図。
【図２】面状冷却板によって形成された冷却器の一部分を示した概要説明図。
【図３】冷凍サイクル図。
【符号の説明】
【００２１】
３    冷蔵室
５    冷凍室
７    野菜室
１３    開閉扉
１５    ドアポケット
１７    冷却器
１９    面状冷却面
２１    冷気循環通路
２５    ファン
２９    吹出口
３１    冷気戻り口
【図１】
2008039296.tif 000003
【図２】
2008039296.tif 000004
【図３】
2008039296.tif 000005